(57)【特許請求の範囲】
【請求項１】
操作部を筐体外の繰出し位置と筐体内の格納位置との間に出し入れさせる格納繰出し装置であって、
前記操作部が設けられるケースと、
前記ケースを前記繰出し位置と前記格納位置との間に移動可能であると共に姿勢変更可能に支持する一対の側板と、
前記ケースを前記繰出し位置と前記格納位置との間に往復移動させる駆動機構と、を備えて構成され、
前記一対の側板には２つの案内部がそれぞれ形成されると共に前記ケースの両側には前記２つの案内部にそれぞれ摺動自在に係合される２つの被案内部が設けられ、
前記２つの案内部のうち一方の案内部は、前記側板の上部において前後方向に延在され、他方の案内部は、前記側板の下部において前後方向に延在され且つその中途部から上方に湾曲するように形成され、前記繰出し位置と前記格納位置との間で前記操作部の姿勢を変化させるようにしたことを特徴とする操作部の格納繰出し装置。
【請求項２】
前記駆動機構は、前記ケースを前記繰出し位置と格納位置との間で押し引きするスライダと、電動モータの回転力を伝達させて前記スライダを前進又は後退動作させるギア機構と、を有することを特徴とする請求項１記載の操作部の格納繰出し装置。
【請求項３】
操作部を筐体外の繰出し位置と筐体内の格納位置との間に出し入れさせる格納繰出し装置を備えた電子機器であって、
前記格納繰出し装置は、
前記操作部が設けられるケースと、
前記ケースを前記繰出し位置と前記格納位置との間に移動可能であると共に姿勢変更可能に支持する一対の側板と、
前記ケースを前記繰出し位置と前記格納位置との間に往復移動させる駆動機構と、を備えて構成され、
前記一対の側板には２つの案内部がそれぞれ形成されると共に前記ケースの両側には前記２つの案内部にそれぞれ摺動自在に係合される２つの被案内部が設けられ、
前記２つの案内部のうち一方の案内部は、前記側板の上部において前後方向に延在され、他方の案内部は、前記側板の下部において前後方向に延在され且つその中途部から上方に湾曲するように形成され、前記繰出し位置と前記格納位置との間で前記操作部の姿勢を変化させるようにしたことを特徴とする操作部の格納繰出し装置を備えた電子機器。
【発明の詳細な説明】
【０００１】
【産業上の利用分野】
本発明は、音響機器等の電子機器のコントロールパネルである操作部を筐体内に格納し、あるいは前記筐体内から繰出すための格納繰出し装置及びその格納繰出し装置を備えた電子機器に係り、特に操作部の格納部等の上下寸法を小さく維持したまま繰出し時の操作性を向上させることができる操作部の格納繰出し装置及びその操作部の格納繰出し装置を備えた電子機器に関する。
【０００２】
【従来の技術】
近年、音響機器等の電子機器において、使用頻度の高い主要な操作ボタンのみを筐体の外面等の外部に配置し、残りの使用頻度が比較的低い操作ボタンはコントロールパネルに配置して、これらのボタンを使用する時以外このコントロールパネルを筐体内部に格納することで、外観をすっきりさせ、かつ主要な操作ボタンを見つけやすくしたものが各種開発されている。
【０００３】
そしてこの種の音響機器等においては、電動モータを有した格納繰出し装置により、使用者のボタン操作等に従って、前記コントロールパネルを自動的に筺体内に格納しあるいは筺体内から繰り出すようになっているのが通常である。
【０００４】
【発明を解決しようとする課題】
ところで、従来のコントロールパネルの格納繰出し装置は、格納時にはコントロールパネルを水平に収納し、繰出し時にはコントロールパネルを直線的に正面前方に移動させてそのまま水平に繰り出すものであった。このため、音響機器等におけるコントロールパネルの格納スペース、あるいは繰り出しのための開口部寸法を上下方向に小さくすることができるという優れた点を有するものの、操作性の点で問題があった。というのは、繰出し時においてコントロールパネルの操作ボタンが真上を向いてしまい、通常音響機器等を正面から操作する使用者にとっては操作ボタンを自然な姿勢で操作することができ難かったのである。
【０００５】
そこで本発明は、コントロールパネルである操作部の格納部等の上下寸法を小さく維持したまま繰出し時の操作性を向上させることができる操作部の格納繰出し装置及びその操作部の格納繰出し装置を備えた電子機器を提供することを目的としている。
【０００６】
【課題を解決するための手段】
上記目的を達成するため、本出願による操作部の格納繰出し装置は、操作部を筐体外の繰出し位置と筐体内の格納位置との間に出し入れさせる格納繰出し装置であって、操作部が設けられるケースと、このケースを繰出し位置と格納位置との間に移動可能であると共に姿勢変更可能に支持する一対の側板と、ケースを繰出し位置と格納位置との間に往復移動させる駆動機構と、を備えて構成され、一対の側板には２つの案内部がそれぞれ形成されると共にケースの両側には２つの案内部にそれぞれ摺動自在に係合される２つの被案内部が設けられ、２つの案内部のうち一方の案内部は、側板の上部において前後方向に延在され、他方の案内部は、側板の下部において前後方向に延在され且つその中途部から上方に湾曲するように形成され、繰出し位置と格納位置との間で操作部の姿勢を変化させるようにしたことを特徴とする。
また、本出願による操作部の格納繰出し装置を備えた電子機器は、操作部を筐体外の繰出し位置と筐体内の格納位置との間に出し入れさせる格納繰出し装置を備えた電子機器であって、格納繰出し装置は、操作部が設けられるケースと、このケースを繰出し位置と格納位置との間に移動可能であると共に姿勢変更可能に支持する一対の側板と、ケースを繰出し位置と格納位置との間に往復移動させる駆動機構と、を備えて構成され、一対の側板には２つの案内部がそれぞれ形成されると共にケースの両側には２つの案内部にそれぞれ摺動自在に係合される２つの被案内部が設けられ、２つの案内部のうち一方の案内部は、側板の上部において前後方向に延在され、他方の案内部は、側板の下部において前後方向に延在され且つその中途部から上方に湾曲するように形成され、繰出し位置と格納位置との間で操作部の姿勢を変化させるようにしたことを特徴とする。
【０００７】
【作用】
本出願の操作部の格納繰出し装置では、一対の側板によって支持されているケースが駆動機構の作動によって格納位置から前方に移動すると、ケースが姿勢を変化させて繰出し位置に繰り出される。また、ケースが駆動機構の作動によって繰出し位置から後方に移動すると、ケースが姿勢を元の状態に変化させて格納位置に押し込まれる。このように、格納位置と繰出し位置における操作部の姿勢を変化させることにより、筐体等と操作部又はそのケースとの干渉を避けて、格納位置のスペース及び操作部が繰出す開口部の上下寸法を、単に水平に繰出す場合と同様に小さく維持し、しかも繰出し時には、操作部の表面を正面に向かう姿勢とすることができる。
また、本出願の操作部の格納繰出し装置を備えた電子機器では、筐体等と操作部又はそのケースとの干渉を避けて、格納位置のスペース及び操作部が繰出す開口部の上下寸法を、単に水平に繰出す場合と同様に小さく維持し、しかも繰出し時には、操作部の表面を正面に向かう姿勢とできる電子機器を提供することができる。
【０００８】
【実施例】
以下、本発明の一実施例を図面に基づいて説明する。
【０００９】
図５は本発明の格納繰出し装置を適用した電子機器の一具体例を示す音響機器の正面図、図６は同音響機器の上面図、図７は同音響機器の側面図である。この音響機器は、キャビネット１（筐体）の正面にフロントパネル２が取付けられており、フロントパネル２には使用頻度の高い主要な操作ボタン３が配置されている。フロントパネル２の下方には、図８に示す操作部であるコントロールパネル４を、本実施例の格納繰出し装置により繰出すための開口部５が設けられ、さらにこの開口部５の右端上方には本実施例の格納繰出し装置を作動させるためのパネル操作ボタン６が配設されている。なお、図８に示すように、コントロールパネル４には、比較的使用頻度の低い操作ボタン群７が配置されている。
【００１０】
次に、図１は本実施例の格納繰出し装置を示す上面図であり、図２は同装置の側面図である。この場合、格納繰出し装置は、主要部が前記音響機器内において、キャビネット１の底部分を構成するパンケース８上に設けられており、パンケース８上に立設した一対の側板１０ａ，１０ｂと、コントロールパネル４が固設されるケース２０と、このケース２０の両側をそれぞれ前記側板１０ａ，１０ｂの内面に支持させるための溝カム機構３０ａ，３０ｂと、ケース２０をコントロールパネル４の格納位置と繰出し位置とに押し引きするスライダ４０と、このスライダ４０を駆動する駆動機構５０とを備える。また駆動機構５０の制御は、音響機器内に設けた制御回路等の制御手段が、図５に示したパネル操作ボタン６からの指令信号と、図２に示した検出スイッチ６０の検出信号に基づいて行なうようになっている。
【００１１】
側板１０ａ，１０ｂは、前述した開口部５の後方（すなわちコントロールパネル４の格納位置）の両側に配設されたもので、前記開口部５に向う方向（キャビネット１の正面に向う方向であって、図１において右方）に平行に形成されている。
【００１２】
ケース２０は、図２，３に示す如く、内部にコントロールパネル４の基板４ａが配置され、上面にコントロールパネル４の操作表面が露出するもので、前部の上下寸法が前述したキャビネット１の開口部５の上下寸法よりも僅かに小さい寸法となっている。このケース２０には、図１に示す如く、後部両側に位置して後方に伸びる支持板部２１ａ，２１ｂがそれぞれ側板１０ａ，１０ｂに沿うように形成され、また後面中央部に連結板部２２ａ，２２ｂが側板１０ａ，１０ｂと平行に形成され、さらにこれら連結板部２２ａ，２２ｂの内面にはそれぞれ同軸上に円柱状突起２３ａ，２３ｂが突設されている。
【００１３】
溝カム機構３０ａは、側板１０ａの内面上側に形成された案内部である案内溝３１ａと、ケース２０の支持板部２１ａの上側前部に形成されて前記案内溝３１ａに摺動自在に係合する被案内部である円柱状突起３２ａと、側板１０ａの内面下側に形成された案内部である案内溝３３ａと、ケース２０の支持板部２１ａの下側後部に形成されて前記案内溝３３ａに摺動自在に係合する被案内部である円柱状突起３４ａとより構成されている。
【００１４】
また、溝カム機構３０ｂは、溝カム機構３０ａと対称的な構成であり、側板１０ｂの内面上側に形成された案内部である案内溝３１ｂと、ケース２０の支持板部２１ｂの上側前部に形成されて前記案内溝３１ｂに摺動自在に係合する被案内部である円柱状突起３２ｂと、側板１０ｂの内面下側に形成された案内部である案内溝３３ｂと、ケース２０の支持板部２１ｂの下側後部に形成されて前記案内溝３３ｂに摺動自在に係合する被案内部である円柱状突起３４ｂとより構成されている。
【００１５】
溝カム機構３０ａ，３０ｂの上側の案内溝３１ａ，３１ｂは、図２に示す如く水平方向に直線状に形成されており、溝カム機構３０ａ，３０ｂの下側の案内溝３３ａ，３３ｂは、図２に示す如く、後部が水平方向に直線状に形成され、途中で湾曲して前部斜め上に傾斜した形状となっており、後述する如くケース２０が前進するときその前部が十分前記開口部５から突出する位置まで水平移動し、その後斜め下に向って傾動するようになっている。また、上側の円柱状突起３２ａ，３２ｂは、ケース２０の連結板部２２ａ，２２ｂ内面の円柱状突起２３ａ，２３ｂと同軸上に配置されている。
【００１６】
スライダ４０は、パンケース８上におけるコントロールパネル４の格納位置の後部に設けられたレール４１，４１に沿って、前記開口部５に向う方向に前後動する部材である。このスライダ４０の前部には、先端両側のＵ字状部４６が前記ケース２０の円柱状突起２３ａ，２３ｂに摺動回転自在に嵌合する連結アーム部４２が形成され、また一側面下側には前後方向にラック歯４３が連設されている。また、このスライダ４０の一側面において、コントロールパネル４が格納位置にあるときに検出スイッチ６０の下側にくる位置と、コントロールパネル４が繰出し位置にあるときに検出スイッチ６０の下側にくる位置とには、検出スイッチ６０作動用のリブ４４，４５がそれぞれ形成されている。
【００１７】
駆動機構５０は、図１に示すように、出力軸がパンケース８上に突出するようにパンケース８内に配設された電動モータ５１と、パンケース８上に水平回転自在に支持されたスライダ４０のラックハ３に噛み合うピニオンギア５２と、電動モータ５１の出力軸の回転を減速してピニオンギア５２に伝達するためのギア５３，５４，５５，５６とよりなる。なお、図２においては、電動モータ５１等の図示を省略している。また、前記ラック歯４３とピニオンギア５２とギア５３，５４，５５，５６とによって、電動モータ５１の回転力を伝達させてスライダ４０を前進又は後退動作させるギア機構が構成されている。
【００１８】
検出スイッチ６０は、図２に示すように、スライダ４０の上側に配される支持板６１の下面に取付けられて設けられている。この検出スイッチ６０は、鉛直面に沿って揺動する接触子６２が前述したスライダ４０のリブ４４又は４５に押されて前後に揺動することにより、出力信号を切り換えてコントロールパネル４が繰出し位置にあるか格納位置にあるかを前述の制御手段に知らせるものである。なお、支持板６１は、図示省略した取付け金具によりパンケース８に対して固定されている。また、図１においては、この検出スイッチ６０等の図示は省略している。
【００１９】
そして、前述した制御回路等の制御手段は、例えば次のような手順で駆動機構５０のモータ５１を作動させるように、そのシーケンスあるいはプログラムが設定されている。すなわち、検出スイッチ６０からの出力信号によりコントロールパネル４が格納位置にあることが検出されている状態においてパネル操作ボタン６が押されると、スライダ４０が前進する向きにモータ５１を回転させ、コントロールパネル４が繰出し位置になったことが検出されるまでモータ５１を同方向に回転させる。また、検出スイッチ６０からの出力信号によりコントロールパネル４が繰出し位置にあることが検出されている状態においてパネル操作ボタン６が押されると、スライダ４０が後退する向きにモータ５１を回転させ、コントロールパネル４が格納位置になったことが検出されるまでモータ５１を同方向に回転させる。
【００２０】
次に、上記コントロールパネルの格納繰出し装置の動作を説明する。図２に示すようにスライダ４０が後退しておりコントロールパネル４が格納位置にある状態において、パネル操作ボタン６が押されると、上述した制御手段の制御によりスライダ４０が前進する。するとコントロールパネル４が、ケース２０を介して溝カム機構３０ａ，３０ｂにより案内されつつ前進するが、この際コントロールパネル４は、図４に示すように、途中までは水平移動し、その後前部を斜め下に向けるように傾動して繰出され、最終的に図３に示すようなコントロールパネル４の繰出し状態となる。
【００２１】
なぜなら、ケース２０は、溝カム機構３０ａ，３０ｂの上側の円柱状突起３２ａ，３２ｂと同軸上に配された円柱状突起２３ａ，２３ｂにおいてスライダ４０に連結され、この円柱状突起２３ａ，２３ｂを介して前方に押される。また、溝カム機構３０ａ，３０ｂにおける上側の案内溝３１ａ，３１ｂは水平方向に最後まで直線状である。このために、ケース２０における円柱状突起３２ａ，３２ｂと同軸上の位置は、スライダ４０と等速度で最後まで真っ直ぐ水平に前進する。ところが、溝カム機構３０ａ，３０ｂにおける下側の案内溝３３ａ，３３ｂは途中まで水平な直線状で上側の案内溝３１ａ，３１ｂと平行であるが、途中から曲って上向きに傾斜している。このため、溝カム機構３０ａ，３０ｂの下側の円柱状突起３４ａ，３４ｂが案内溝３３ａ，３３ｂの水平部分を摺動している際には、ケース２０全体が水平に並進運動するが、円柱状突起３４ａ，３４ｂが案内溝３３ａ，３３ｂの傾斜部分に入りこの部分を進むにつれ、ケース２０の後部が上方に向うことになるので、円柱状突起３２ａ，３２ｂの位置の水平直線運動に、この円柱状突起３２ａ，３２ｂを中心とする図２において時計回りの回転運動が合成されることになり、結果としてケース２０は前方に進みつつ前部を下に傾動させるような動きをするのである。
【００２２】
そして、上記繰出し状態において、パネル操作ボタン６が押されると、上述した制御手段の制御によりスライダ４０が後退する。すると、上記繰出しと逆の動作でコントロールパネル４がケース２０とともに格納位置に向って引かれ、スライダ４０のリブ４４が検出スイッチ６０を切り換えた時点でモータ５１の作動が停止され格納状態に戻る。
【００２３】
したがって、上記格納繰出し装置によれば、コントロールパネル４（すなわち、ケース２０）が水平移動する距離を溝カム機構３０ａ，３０ｂの案内溝３３ａ，３３ｂの湾曲位置により適当に設定してやれば、開口部５とケース２０との干渉を避けて、格納位置のスペース及び開口部５の上下寸法を、単に水平に繰出す場合と同様に小さく維持し、しかも繰出し時には、コントロールパネル４の表面を斜め上方に向けて、正面からの操作性を向上させることができる。
【００２４】
なお、本発明は上記実施例に限られず、各種態様がありうる。例えば、溝カム機構は、コントロールパネルのケース側に案内溝を設けたものでもよいし、また、必ずしも突起と案内溝を上下に２組設ける必要もない。一つの案内溝に二つの突起を摺動自在に嵌合させ、前方の突起のみが案内溝前部の下向き傾斜部に入ることで、コントロールパネルを繰出し工程の最終段階において下向きに傾動させることもできる。
【００２５】
【発明の効果】
本発明によれば、音響機器等の電子機器の操作部を水平に格納し、繰出し時には、途中まで水平移動により前進させ最終段階において下向きに傾動させて繰出すことができる。このため、例えば、音響機器等のキャビネットにおけるコントロールパネルの繰出し開口部及び格納スペースの上下方向の寸法を小さく維持しつつ、コントロールパネルの操作性を向上させることができる効果がある。
【図面の簡単な説明】
【図１】本発明のコントロールパネルの格納繰出し装置を示す平面図である。
【図２】本発明のコントロールパネルの格納繰出し装置を示す側面図である。
【図３】本発明のコントロールパネルの格納繰出し装置の繰出し状態を示す側面図である。
【図４】本発明のコントロールパネルの格納繰出し装置の繰出し動作を示す側面図である。
【図５】本発明のコントロールパネルの格納繰出し装置を適用した音響機器の正面図である。
【図６】本発明のコントロールパネルの格納繰出し装置を適用した音響機器の上面図である。
【図７】本発明のコントロールパネルの格納繰出し装置を適用した音響機器の側面図である。
【図８】本発明のコントロールパネルの格納繰出し装置を適用した音響機器のコントロールパネルを示す図である。
【符号の説明】
１  筺体（キャビネット）
４  コントロールパネル
１０ａ，１０ｂ  側板
２０  ケース
３０ａ，３０ｂ  溝カム機構
３１ａ，３１ｂ，３３ａ，３３ｂ  案内溝
３２ａ，３２ｂ，３４ａ，３４ｂ  突起
４０  スライダ
【図１】
0003697718.tif 000002
【図２】
0003697718.tif 000003
【図３】
0003697718.tif 000004
【図４】
0003697718.tif 000005
【図５】
0003697718.tif 000006
【図６】
0003697718.tif 000007
【図７】
0003697718.tif 000008
【図８】
0003697718.tif 000009